(57)【特許請求の範囲】
【請求項１】
２分割されたフォーカス電極を有し、
上記２分割された各フォーカス電極の相対向する面において、３本の電子ビームのうち中央の電子ビームが通過する孔が、電極中央から互いに反対の外側の電子ビームの方向に偏って形成されている
ことを特徴とするカラー陰極線管用電子銃。
【請求項２】
上記２分割されたフォーカス電極のうち、一方のフォーカス電極に固定フォーカス電圧が印加され、他方のフォーカス電極に該固定フォーカス電圧に偏向ヨークの水平走査と同期した鋸刃に類似した波形の電圧が重畳された電圧が印加されることを特徴とする請求項１に記載のカラー陰極線管用電子銃。
【請求項３】
陽極側の上記フォーカス電極に上記固定フォーカス電圧が印加されて成ることを特徴とする請求項２に記載のカラー陰極線管用電子銃。
【請求項４】
３分割されたフォーカス電極を有し、
上記３分割されたフォーカス電極の相対向する面において、３本の電子ビームのうち中央の電子ビームが通過する孔が、両外側の上記フォーカス電極においては、電極中央から一方の外側の電子ビームの方向に偏って形成され、
中央の上記フォーカス電極においては、電極中央から他方の外側の電子ビームの方向に偏って形成されている
ことを特徴とするカラー陰極線管用電子銃。
【請求項５】
上記３分割されたフォーカス電極のうち、上記両外側のフォーカス電極に固定フォーカス電圧が印加され、上記中央のフォーカス電極に該固定フォーカス電圧に偏向ヨークの水平走査と同期した鋸刃に類似した波形の電圧が重畳された電圧が印加されることを特徴とする請求項４に記載のカラー陰極線管用電子銃。
【発明の詳細な説明】
【０００１】
【発明の属する技術分野】
本発明は、例えばカラー受像管やカラーディスプレイ装置等を構成するカラー陰極線管に用いられる、インライン３ビーム方式のカラー陰極線管用電子銃に係わる。
【０００２】
【従来の技術】
従来のカラー陰極線管は、一般にコンバージェンスフリー偏向ヨーク（ＣＤＹ）、即ち外部補正なく偏向ヨークのみで画面全体のコンバージェンスを合わせる方式を用いており、画面の左右でＲ（赤）、Ｇ（緑）、Ｂ（青）の３本の電子ビームのコンバージェンスを合わせるようにしている。
このため、３本の電子ビームが受ける偏向磁界の大きさががそれぞれ異なっている。
【０００３】
図１０に陰極線管の模式図を示すように、電子銃１から射出され、蛍光面４の画面右側及び画面左側の周辺部に衝突する３本の電子ビームＲ，Ｇ，Ｂは、偏向ヨーク２の磁界中で受ける集束作用及び発散作用の度合いに相違が生じる。
尚、図中３はガラスバルブを示す。また、「画面右側」、「画面左側」とは、カラー陰極線管の蛍光面４を外部から観察したときの右側、左側をそれぞれ意味する。
【０００４】
通常は、３本の電子ビームＲ，Ｇ，Ｂのうち、中央の電子ビームＧのスポットの形状が最適となるように、電子銃に印加するフォーカス電圧等の設定を行っている。
【０００５】
【発明が解決しようとする課題】
一般に、偏向ヨーク２を設計する際において、例えば画面左右で両外側の赤色の電子ビームＲ及び青色の電子ビームＢのコンバージェンスを合わせる設計とすると、図１１及び図１２に示すように、中央の緑色の電子ビームＧが画面中央方向にずれる。
尚、このずれの方向は偏向ヨーク２の設計によって異なる。
【０００６】
従って、通常は、中央の緑色の電子ビームＧを補正するために、偏向ヨーク２の磁界分布をさらに複雑に調整している。
このため、副作用として電子ビームの形状が歪み、フォーカスが悪くなったり、画面の四隅におけるコンバージェンスが悪くなったりするが、これらを調整することは困難であった。
【０００７】
例えば、蛍光面４の画面右側に３本の電子ビームＲ，Ｇ，Ｂが衝突するとき、電子ビームＲは、電子ビームＧ及び電子ビームＢよりも、偏向ヨーク２によって形成される偏向磁界の影響を強く受ける。その結果、蛍光面４における電子ビームＲのビームスポットの歪みは、他の電子ビームＧ，Ｂよりも大きくなる。
一方、蛍光面４の画面左側に３本の電子ビームＲ，Ｇ，Ｂが衝突するとき、電子ビームＢは、電子ビームＧ及び電子ビームＲよりも、偏向ヨーク２によって形成される偏向磁界の影響を強く受ける。その結果、蛍光面４における電子ビームＢのビームスポットの歪みは、他の電子ビームＲ，Ｇよりも大きくなる。
【０００８】
上述した問題の解決のために、本発明においては、電子銃で中央の電子ビームを調整可能とすることにより、偏向ヨークと電子銃で３本の電子ビームを最適の状態に調整して、電子ビームの歪みが小さく画面周辺部のフォーカス劣化が少ないカラー陰極線管用電子銃を提供するものである。
【０００９】
【課題を解決するための手段】
本発明のカラー陰極線管用電子銃は、２分割されたフォーカス電極を有し、２分割された各フォーカス電極の相対向する面において、３本の電子ビームのうち中央の電子ビームが通過する孔が、電極中央から互いに反対の外側の電子ビームの方向に偏って形成されている構成である。
【００１０】
本発明の他のカラー陰極線管用電子銃は、３分割されたフォーカス電極を有し、３分割されたフォーカス電極の相対向する面において、３本の電子ビームのうち中央の電子ビームが通過する孔が、両外側のフォーカス電極においては、電極中央から一方の外側の電子ビームの方向に偏って形成され、中央のフォーカス電極においては、電極中央から他方の外側の電子ビームの方向に偏って形成されている構成である。
【００１１】
上述の本発明の各構成によれば、２分割又は３分割されたフォーカス電極の相対向する面において、中央の電子ビームが通過する孔が、互いに反対側の外側の電子ビームの方向に偏って形成されていることにより、中央の電子ビームの経路の調整を独立して行うことができる。
従って、偏向ヨークの作用等で両外側の電子ビームのスポットに対して中央の電子ビームのスポットの位置がずれるような場合でも、中央の電子ビームのスポットの位置を補正することが可能になる。
【００１２】
【発明の実施の形態】
本発明は、２分割されたフォーカス電極を有し、２分割された各フォーカス電極の相対向する面において、３本の電子ビームのうち中央の電子ビームが通過する孔が、電極中央から互いに反対の外側の電子ビームの方向に偏って形成されているカラー陰極線管用電子銃である。
【００１３】
また本発明は、上記カラー陰極線管用電子銃において、２分割されたフォーカス電極のうち、一方のフォーカス電極に固定フォーカス電圧が印加され、他方のフォーカス電極に固定フォーカス電圧に偏向ヨークの水平走査と同期した鋸刃に類似した波形の電圧が重畳された電圧が印加される構成とする。
【００１４】
また本発明は、上記カラー陰極線管用電子銃において、陽極側のフォーカス電極に固定フォーカス電圧が印加される構成とする。
【００１５】
本発明は、３分割されたフォーカス電極を有し、３分割されたフォーカス電極の相対向する面において、３本の電子ビームのうち中央の電子ビームが通過する孔が、両外側の上記フォーカス電極においては、電極中央から一方の外側の電子ビームの方向に偏って形成され、中央のフォーカス電極においては、電極中央から他方の外側の電子ビームの方向に偏って形成されているカラー陰極線管用電子銃である。
【００１６】
また本発明は、上記カラー陰極線管用電子銃において、３分割されたフォーカス電極のうち、両外側のフォーカス電極に固定フォーカス電圧が印加され、中央のフォーカス電極に固定フォーカス電圧に偏向ヨークの水平走査と同期した鋸刃に類似した波形の電圧が重畳された電圧が印加される構成とする。
【００１７】
従来は、偏向ヨーク２によって画面左右で３本の電子ビームＲ，Ｇ，Ｂのコンバージェンスを合わせていたが、本発明ではさらに電子銃１によって、図１１及び図１２に示した緑色の電子ビームＧのずれを補正する。
【００１８】
本発明のカラー陰極線管用電子銃の実施の形態の説明に先立ち、本発明を適用するカラー陰極線管用電子銃の比較例について説明する。
図１３に、一般に広く用いられている四重極レンズを内蔵したカラー陰極線管用電子銃の比較例の概略構成図を示す。
この電子銃７０は、平行にインライン配列された３本の陰極ＫR ，ＫG ，ＫB を有し、この陰極Ｋ（ＫR ，ＫG ，ＫB ）から陽極側へ向かって、第１電極１１、第２電極１２、第３電極１３、第４電極１４、第５電極、第６電極１６、シールドカップ１７が順次同軸に配置されて成る。そして、第５電極は、第５−１電極５１と第５−２電極５２の２つに分割されている。また、第２電極１２と第４電極１４は電気的に接続されている。
【００１９】
第１電極１１には例えば０Ｖ（もしくは数十Ｖ）の電圧が印加され、第２電極１２及び第４電極１４には２００〜８００Ｖの電圧が印加される。第６電極１６には例えば２２ｋＶ〜３０ｋＶのアノード電圧が印加される。
【００２０】
尚、第５−２電極５２と対向する第５−１電極５１の面には、図１４Ａに示すような縦長の電子ビーム通過孔１５１Ａ，１５１Ｂ，１５１Ｃが形成された電極面１５１が配設されている。一方、第５−１電極５１と対向する第５−２電極５２の面には、図１４Ｂに示すような、横長の電子ビーム通過孔１５２Ａ，１５２Ｂ，１５２Ｃが形成された電極面１５２が配設されている。
【００２１】
このカラー陰極線管用電子銃７０においては、第５−１電極５１には、ステム部を介して、例えば５ｋＶ〜７ｋＶの一定のフォーカス電圧Ｆc が印加される。一方、第３電極１３及び第５−２電極５２には、フォーカス電極Ｆc の水平偏向に同期した例えば振幅が５００〜１０００Ｖの放物線波形電圧とフォーカス電圧Ｆc とが重畳された電圧Ｆv （図１５参照）とが印加される。
【００２２】
これにより、第５−１電極５１と第５−２電極５２との間に四重極レンズ（図示せず）が形成され、しかもこの四重極レンズが第５−２電極５２と第６電極１６との間に形成される主電子レンズ、いわゆるフォーカスレンズ（図示せず）に強度変化を生じさせる。その結果、蛍光面４の左右方向の周辺部における電子ビームの形状を良好なものとすることができる。
【００２３】
上述のように四重極レンズを設けることによって、蛍光面の水平方向端部に電子ビームが近づくにつれて、電子ビームは、その垂直方向（縦方向）に発散作用（凹レンズ効果）を受け、一方、水平方向（横方向）に集束作用（凸レンズ効果）を受ける。その結果、蛍光面の周辺部における電子ビームスポットが真円に近づき、その効果として良好な解像度が得られる。
【００２４】
このように四重極レンズを設けることによる効果は大きいものである。
この４重極レンズと上述の電圧Ｆv （いわゆるダイナミックフォーカス電圧）とを同時に作動させる方法は、ディスプレイ、大型ＴＶ用、及び高品位ＴＶ用カラー陰極線管用電子銃に広く用いられる。
【００２５】
続いて、図面を参照して本発明のカラー陰極線管用電子銃の一実施の形態を説明する。
図１に示すカラー陰極線管用電子銃１０は、平行にインライン配列された３本の陰極ＫR ，ＫG ，ＫB を有し、この陰極Ｋ（ＫR ，ＫG ，ＫB ）から陽極側に向かって第１電極１１、第２電極１２、第３電極１３、第４電極１４、第５電極、第６電極１６、シールドカップ１７が順次同軸上に配置されて成る。
【００２６】
フォーカス電極に相当する第５電極は、第５−１電極５１と第５−２電極５２の２つに分割されると共に、さらに、第５−１電極５１が第５−１Ａ電極５１Ａ及び第５−１Ｂ電極５１Ｂに２分割されている。
【００２７】
このカラー陰極線管用電子銃１０の電極構造は、前述した図１３に示したカラー陰極線管用電子銃７０において、そのフォーカス電極である第５−１電極５１の代わりに、この第５−１電極５１を２分割した構成に相当する。
【００２８】
また、図１３に示したカラー陰極線管用電子銃７０と同様に、第１電極１１には例えば０Ｖ（もしくは数十Ｖ）の電圧が印加され、第２電極１２及び第４電極１４には２００〜８００Ｖの電圧が印加される。第５電極１６には例えば２２ｋＶ〜３０ｋＶのアノード電圧が印加される。
【００２９】
図１に示す構造の電子銃１０において、第５−１電極５１の第５−２電極５２側の電子ビーム通過孔の形状を図２Ａに、第５−２電極５２の第５−１電極５１側の電子ビーム通過孔の形状を図２Ｂに、それぞれ示す。
また、２分割された第５−１電極５１（５１Ａ，５１Ｂ）と第５−２電極５２とについて、水平面にて切断した断面図を図３に示す。
【００３０】
図２Ａにおいては、電極面２５１に３本の電子ビームＲ，Ｇ，Ｂにそれぞれ対応して電子ビーム通過孔２５１Ｒ，２５１Ｇ，２５１Ｂが設けられている。
図２Ｂにおいては、電極面２５２に３本の電子ビームＲ，Ｇ，Ｂにそれぞれ対応して電子ビーム通過孔２５２Ｒ，２５２Ｇ，２５２Ｂが設けられている。
【００３１】
これら図２Ａ及び図２Ｂに示した電子ビーム通過孔２５１Ｒ，２５１Ｇ，２５１Ｂ及び２５２Ｒ，２５２Ｇ，２５２Ｂの形状は、両側の電子ビームＲ，Ｂに対応する電子ビーム通過孔２５１Ｒ，２５１Ｂ，２５２Ｒ，２５２Ｂに特徴がない真円状又は他の形状であるが、緑色の電子ビームＧに対応する電子ビーム通過孔２５１Ｇ，２５２Ｇにおいては、図２Ａと図２Ｂで他の電子ビーム通過孔との間隔が異なっている。
従って、緑色の電子ビームＧに対応する電子ビーム通過孔（つまりその中心）が、図２Ａでは電極の中心Ｏより青色の電子ビームＢの透過孔２５１Ｂ側に、図２Ｂでは電極の中心Ｏより赤色の電子ビームＲの透過孔２５２Ｒ側に、それぞれ偏って形成されている。
【００３２】
即ち、本実施の形態においては、図３に示すように、２分割された第５−１電極５１のうち陰極側の第５−１Ａ電極５１Ａでは、中央に設けられた緑色の電子ビーム通過孔２２Ａを、青色の電子ビーム通過孔２３Ａの方向に偏って設けている（図２Ａの電極面２５１参照）。一方、陽極側の第５−１電極５１Ｂでは、中央に設けられた緑色の電子ビーム通過孔２２Ｂを、赤色の電子ビーム通過孔２１Ｂの方向に偏って設けている（図２Ｂの電極面２５２参照）。
【００３３】
２つの第５−１電極５１Ａ，５１Ｂで中央に設けられた緑色の電子ビーム通過孔２２Ａ，２２Ｂを互いに異なる方向に偏って設けて、両外側に設けられた赤色及び青色の電子ビーム通過孔２１Ａと２１Ｂ，２３Ａと２３Ｂは同じ位置とすることにより、緑色の電子ビームＧを両外側の電子ビームＲ，Ｂと独立して調整することができる。
【００３４】
また、図３に示すように、第５−１電極５１の陽極側、即ち第５−１Ｂ電極の第５−２電極５２に対向する面には、図１３の電子銃７０と同様に図１４Ａに示す縦長の非点形状の電子ビーム通過孔１５１Ａ，１５１Ｂ，１５１Ｃが設けられた電極面１５１が形成される。
一方、第５−２電極５２の陰極側、即ち第５−１Ｂ電極５１Ｂに対向する面には、図１３の電子銃７０と同様に図１４Ｂに示す横長の非点形状の電子ビーム通過孔１５２Ａ，１５２Ｂ，１５２Ｃが設けられた電極面１５２が形成される。
【００３５】
そして、２分割された第５−１電極５１の陽極側の第５−１Ｂ電極５１Ｂには、ステム部を介して、例えば５ｋＶ〜７ｋＶの固定フォーカス電圧Ｆc が印加される。一方、第３電極１３と及び第５−２電極５２には、固定フォーカス電圧Ｆc の水平偏向に同期した例えば振幅が５００〜１０００Ｖの放物線形状の電圧と固定フォーカス電圧Ｆc とが重畳された電圧Ｆv-1 が印加される（図５Ａ参照）。
【００３６】
これによって、第５−１Ｂ電極５１Ｂと第５−２電極５２との間に四重極レンズ（図示せず）が形成され、この四重極レンズが、第５−２電極５２と第６電極１６との間に形成される主電子レンズ、いわゆるフォーカスレンズ（図示せず）に強度変化を生じさせる。その結果、図示しないが、蛍光面の左右方向の周辺部における電子ビームを、より良好な形状とすることができる。
【００３７】
また、本実施の形態においては、さらに、２分割された第５−１電極の陰極側の第５−１Ａ電極５１Ａには、固定フォーカス電圧Ｆc の水平偏向に同期した例えば振幅が±５０Ｖの鋸刃に類似した形状の波形電圧と固定フォーカス電圧Ｆc が重畳された電圧Ｆv-2 が印加される（図５Ｂ参照）。
【００３８】
このように、２分割された第５−１電極５１において、陽極側の第５−１Ｂ電極５１Ｂに固定フォーカス電圧Ｆc が印加され、陰極側の第５−１Ａ電極５１Ａに固定フォーカス電圧Ｆc の水平偏向に同期した鋸刃に類似した形状の波形電圧が重畳された前述の電圧Ｆv-2 が印加されることにより、例えば図４に示すように、電位の分布が緑色の電子ビームＧに対して非対称になり、緑色の電子ビームＧを曲げる作用を及ぼす。
【００３９】
このように構成することにより、図６に示すように、画面左右で中央の緑色の電子ビームＧが、破線の位置から、矢印で示すように両側の電子ビームＲ，Ｂに比べて相対的に画面外側方向に動くので、３本の電子ビームＲ，Ｇ，Ｂのコンバージェンスを合わせることができる。
【００４０】
尚、図５Ｂに示したフォーカス電圧波形Ｆv-2 と符号が反転され＋と−とを逆にした電圧波形を与える場合には、図２Ａと図２Ｂに示したビーム孔の配置を逆にする。
【００４１】
上述の実施の形態の電子銃１０によれば、電子銃１０で中央の緑色の電子ビームＧの調整を両外側の電子ビームＲ，Ｂと独立して行うことができることにより、電子銃１０による緑色の電子ビームＧの調整と、偏向ヨーク２による主として両外側の赤色及び青色の電子ビームＲ，Ｂの調整とを組み合わせて、画面の左右における３本の電子ビームＲ，Ｇ，Ｂのコンバージェンスの調整を容易に行うことができる。
【００４２】
これにより、比較例のカラー陰極線管よりも電子ビームが受ける歪みがより小さくなり、画面周辺部におけるフォーカスの劣化が小さく、画面全面で均一な解像度が得られる。
【００４３】
続いて、本発明によるカラー陰極線管用電子銃の他の実施の形態について説明する。
本実施の形態は、３分割されたフォーカス電極を有する場合、即ち、第５−１電極５１を３分割した場合である。
【００４４】
図７に示す電子銃２０は、平行にインライン配列された３本の陰極ＫR ，ＫG ，ＫB を有し、この陰極ＫR ，ＫG ，ＫB から陽極側へ向かって、第１電極１１、第２電極１２、第３電極１３、第４電極１４、第５電極、第６電極１６、シールドカップ１７が順次同軸に配置されて成る。
【００４５】
そして、フォーカス電極に相当する第５電極は、第５−１電極５１と第５−２電極５２の２つに分割され、さらに第５−１電極５１は、第５−１Ａ電極５１Ａ、第５−１Ｂ電極５１Ｂ、第５−１Ｃ電極５１Ｃに３分割されている。
【００４６】
３分割された第５−１電極５１、即ち第５−１Ａ電極５１Ａ、第５−１Ｂ電極５１Ｂ、第５−１Ｃ電極５１Ｃには、それぞれ３つの電子ビーム通過孔が設けられている。これら３つの電子ビーム通過孔は、先の実施の形態において図２Ａ及び図２Ｂに示したと同様に、中央の電子ビーム通過孔が、一側の電子ビーム通過孔の方向に偏って設けられる。
【００４７】
ここで、３分割された第５−１電極５１（５１Ａ，５１Ｂ，５１Ｃ）と第５−２電極５２とについて、水平面にて切断した断面図を図８に示す。
図８に示すように、本実施の形態においては、３分割された第５−１電極５１のうち両端の第５−１Ａ電極５１Ａ及び第５−１Ｃ電極５１Ｃでは、中央に設けられた緑色の電子ビーム通過孔２２Ａ，２２Ｃを、図２Ａに示した電極面２５１のように、青色の電子ビーム通過孔２３Ａ，２３Ｃの方向に偏って設けている。
一方、中央の第５−１電極５１Ｂでは、中央に設けられた緑色の電子ビーム通過孔２２Ｂを、図２Ｂに示した電極面２５２のように、赤色の電子ビーム通過孔２１Ｂの方向に偏って設けている。
【００４８】
このように構成することによって、先の実施の形態と同様に、中央の緑色の電子ビームＧを両外側の電子ビームＲ，Ｂと独立して調整することができる。
【００４９】
また、３分割された第５−１電極５１の両外側の第５−１Ａ電極５１Ａ及び第５−１Ｃ電極５１Ｃには、固定フォーカス電圧Ｆc が印加される。
また、第３電極１３と第５−２電極５２には固定フォーカス電圧Ｆc の水平偏向に同期した放物線形状の電圧と固定フォーカス電圧Ｆc とが重畳された電圧Ｆv-1 が印加される。
さらに、３分割された第５−１電極５１の中央の第５−１Ｂ電極５１Ｂには、固定フォーカス電圧Ｆc の水平偏向に同期した鋸刃に類似した形状の波形電圧が固定フォーカス電圧Ｆc に重畳された電圧Ｆv-2 が印加される。
それぞれの電圧波形は、先の実施の形態と同様に、例えば図５Ａ及び図５Ｂに示す電圧波形Ｆc ，Ｆv-1 ，Ｆv-2 とする。
【００５０】
尚、本実施の形態の電子銃において、その他の構成（印加電圧を含む）は、前述の図１に示した従来の電子銃１０と同様であるので、同一符号を付して重複説明を省略する。
【００５１】
上述のように構成することにより、例えば図９に示すように、電位の分布が緑色の電子ビームＧに対して非対称になり、緑色の電子ビームＧを曲げる作用を及ぼす。
従って、先の実施の形態の電子銃１０と同様に、画面左右で中央の緑色の電子ビームＧが両側の電子ビームＲ，Ｂに比べて相対的に画面外側方向に動くので、３本の電子ビームＲ，Ｇ，Ｂのコンバージェンスを合わせることができる。
また、電子銃２０で中央の緑色の電子ビームＧの調整を両外側の電子ビームＲ，Ｂと独立して行うことができることにより、電子銃２０による緑色の電子ビームＧの調整と、偏向ヨーク２による主として両外側の赤色及び青色の電子ビームＲ，Ｂの調整とを組み合わせて、画面の左右における３本の電子ビームＲ，Ｇ，Ｂのコンバージェンスの調整を容易に行うことができる。
【００５２】
さらに、本実施の形態のように、第５−１電極が３分割され、その両外側の電極５１Ａ，５１Ｃと中央の電極５１Ｂとの間に、固定フォーカス電圧Ｆc と波形電圧Ｆv-2 による電位差を発生させることにより、先の実施の形態のように２分割の第５−１電極を設けた場合よりも、効果的に中央の電子ビームＧの調整を行うことができる。
【００５３】
尚、２分割もしくは３分割されたフォーカス電極の配置及び印加される電圧波形は、上述の各実施の形態に限定されないが、好ましくは、分割されたフォーカス電極の内、固体フォーカス電圧Ｆc が印加される電極が最も陽極側に配置されて、後段の四重極レンズや主レンズに及ぼす影響が少なくなるように構成する。
【００５４】
尚、上述の各実施の形態においては、四重極レンズを構成したカラー陰極線管用の電子銃に適用した場合であったが、四重極レンズがない構成等、その他の構成のカラー陰極線管用の電子銃にも適用することができる。
例えば、主レンズのすぐ陰極側に２分割もしくは３分割されたフォーカス電極を設け、その各フォーカス電極の相対向する面において、中央の電子ビーム通過孔を互いに反対の方向に偏って形成した構成を採ることもできる。
【００５５】
本発明のカラー陰極線管用電子銃は、上述の各実施の形態に限定されるものではなく、本発明の要旨を逸脱しない範囲でその他様々な構成が取り得る。
【００５６】
【発明の効果】
上述の本発明によるカラー陰極線管用電子銃によれば、２分割又は３分割されたフォーカス電極を配置して、この分割されたフォーカス電極の相対向する面において、中央の電子ビームの通過孔が互いに反対側の外側の電子ビームの方に偏って形成されていることにより、中央の電子ビームを外側の電子ビームと独立して調整することが可能となる。
【００５７】
さらに、分割されたフォーカス電極に、固定フォーカス電圧と、固定フォーカス電圧の水平偏向に同期した鋸刃に類似した形状の波形電圧を固定フォーカス電圧重畳した電圧とを、それぞれ印加する構成としたときには、中央の電子ビームと両外側の電子ビームのスポット位置のずれを補正することができる。
【００５８】
従って、画面の左右における３本の電子ビームのコンバージェンスの調整を容易に行うことができる。
その結果、従来のカラー陰極線管よりも電子ビームが受ける歪みが小さくなり、画面周辺部におけるフォーカスの劣化が小さく、画面全面で均一な解像度が得られる。
【図面の簡単な説明】
【図１】本発明に係る電子銃の一実施の形態の電極配置を示す概略構成図である。
【図２】Ａ、Ｂ  図１の電子銃の第５−１電極の電子ビーム通過孔の形状の一例を示す図である。
【図３】Ａ、Ｂ  図１の電子銃の第５−１電極の形状を示す断面図である。
【図４】図１の電子銃における中央の電子ビームが第５ー１を通過する状態を示す図である。
【図５】Ａ、Ｂ  図１の電子銃のフォーカス電極に印加されるフォーカス電圧の波形の例を示す図である。
【図６】中央の電子ビームが補正されることを説明する図である。
【図７】本発明に係る電子銃の他の実施の形態の電極配置を示す概略構成図である。
【図８】Ａ、Ｂ  図７の電子銃の第５−１電極の形状を示す断面図である。
【図９】図７の電子銃における中央の電子ビームが第５ー１を通過する状態を示す図である。
【図１０】カラー陰極線管の模式図である。
【図１１】蛍光面における３本の電子ビームの照射位置を示す正面図である。
【図１２】蛍光面における３本の電子ビームの照射位置を示す断面図である。
【図１３】四重極レンズを内蔵したカラー陰極線管用電子銃の比較例の概略構成図である。
【図１４】Ａ、Ｂ  図１３の電子銃の四重極レンズを構成するフォーカス電極の形状を示す図である。
【図１５】図１３の電子銃のフォーカス電極に印加されるフォーカス電圧の波形の例を示す図である。
【符号の説明】
１，１０，２０  電子銃、２  偏向ヨーク、３  ガラスバルブ、４  蛍光面、１１  第１電極、１２  第２電極、１３  第３電極、１４  第４電極、１６  第６電極、１７  シールドカップ、２１Ａ，２１Ｂ，２１Ｃ，２２Ａ，２２Ｂ，２２Ｃ，２３Ａ，２３Ｂ，２３Ｃ  電子ビーム通過孔、５１  ５−１電極、５１Ａ  ５−１Ａ電極、５１Ｂ  ５−１Ｂ電極、５１Ｃ  ５−１Ｃ電極、５２  ５−２電極、７０  電子銃、Ｋ，ＫR ，ＫG ，ＫB   陰極、Ｒ，Ｇ，Ｂ  電子ビーム、Ｆc   固定フォーカス電圧
【図１】
0003541637.tif 000002
【図２】
0003541637.tif 000003
【図３】
0003541637.tif 000004
【図４】
0003541637.tif 000005
【図５】
0003541637.tif 000006
【図６】
0003541637.tif 000007
【図７】
0003541637.tif 000008
【図８】
0003541637.tif 000009
【図９】
0003541637.tif 000010
【図１０】
0003541637.tif 000011
【図１１】
0003541637.tif 000012
【図１２】
0003541637.tif 000013
【図１３】
0003541637.tif 000014
【図１４】
0003541637.tif 000015
【図１５】
0003541637.tif 000016